(57)【要約】【課題】係止爪が開き過ぎるのを防止できる、Ｕ字形状の本体を有する、シート状部材の端末部分を保持できるクリップを提供する。【解決手段】クリップ１は、ほぼＵ字形状の本体２と、本体２の端部３Ａ、３Ｂに薄肉部６を介して連結された係止爪５とを有し、本体２の端部３Ａ、３Ｂには、薄肉部６に隣接する位置に、係止爪５の外側部分７の側方への開き過ぎを防止する、過開き防止ブロック１１が設けてある。【選択図】図１
2010190347.tif 000002
【特許請求の範囲】
【請求項１】
柔軟なシート状部材の端末部分を、パネルに該パネルの一部の両面を包囲した状態で保持させる、ほぼＵ字形状に形成されたばね弾性を有する本体と、前記シート状部材が前記パネルに保持された状態を維持する、前記本体の端部に形成された係止爪とを有し、前記本体は前記シート状部材をくわえるように押し込むとそのばね弾性で前記シート状部材を前記パネルに挟持させるように作用し、前記係止爪は前記本体が前記シート状部材から抜け外れるのを阻止するように作用する、クリップであって、
前記係止爪は、前記本体のＵ字形状の端部において、ヒンジとなる薄肉部を介して、該本体のＵ字形状の内側から外側に向けて延び且つ外側部分が前記Ｕ字形状を横切る方向である側方に向けて内側部分より大きく開く状態で、旋回可能に連結されており、前記本体が前記シート状部材に押し込まれるとき、前記係止爪は、前記開いた外側部分が前記シート状部材の受入れを容易にしており、前記押し込みの続行において前記係止爪の前記内側部分が前記薄肉部回りに前記本体の内側面に近づくように旋回して前記シート状部材の受入れを許容するとともに前記外側部分はその開きが狭められ、前記本体の押し込みの終了において前記係止爪の前記内側部分が前記シート状部材に食い込むことができるように前記係止爪の前記外側部分の前記開きが戻されるようになっており、
前記本体の端部には、前記薄肉部に隣接する位置に、前記係止爪の前記外側部分の前記側方への開き過ぎを防止する過開き防止ブロックが設けてある、ことを特徴とするクリップ。
【請求項２】
請求項１に記載のクリップにおいて、前記係止爪は、前記Ｕ字形状の本体の２つの端部のそれぞれに、前記薄肉部を介して旋回可能に連結されている、ことを特徴とするクリップ。
【請求項３】
請求項１又は２に記載のクリップにおいて、前記本体と前記係止爪と前記薄肉部と前記過開き防止ブロックとが、硬質プラスチック材料で、一定幅で一体成形されている、ことを特徴とするクリップ。
【請求項４】
請求項１〜３のいずれか１項に記載のクリップにおいて、前記係止爪の外側部分の先端面が前記シート状部材の外面を滑るガイド面として形成されている、ことを特徴とするクリップ。
【請求項５】
請求項１〜４のいずれか１項に記載のクリップにおいて、前記パネルが自動車のダッシュパネルであり、前記シート状部材は防音用のサイレンサーである、ことを特徴とするクリップ。
【発明の詳細な説明】
【技術分野】
【０００１】
本発明は、自動車のダッシュパネル等のパネルに、防音又は遮音用のサイレンサー等の柔軟なシート状部材の端末部分を保持するクリップに関する。
【背景技術】
【０００２】
カーペットの端末部分を車体パネルに保持するクリップが、例えば、実開昭６２−０５２０３６号公報（特許文献１）に記載されている。そのクリップは、柔軟なシート状部材であるカーペットの端末部分を、パネルの一部の両面を包囲した状態でパネルに保持させる、ほぼＵ字形状に形成されたばね弾性を有する本体と、カーペットがパネルに保持された状態を維持する、本体の端部に形成された係止爪とを有し、本体はパネルを包囲したカーペットをくわえるように押し込むとそのばね弾性でカーペットをパネルに挟持させるように作用し、係止爪は本体がカーペットから抜け外れるのを阻止するように作用する。これによって、カーペットの端末部分が加工を必要とせずにパネルに固定される。
【先行技術文献】
【特許文献】
【０００３】
【特許文献１】実開昭６２−０５２０３６号公報
【特許文献２】実開昭６２−１７１３４６号公報
【特許文献３】実開昭５８−１５３１４２号公報
【特許文献４】実開平０２−１３９１５１号公報
【０００４】
特許文献２には、Ｕ字形状の本体と端部に形成された係止爪とを有するクリップが記載され、クリップは、例えば、フロアカーペットの端末部分をパネル端部に固定する。特許文献１や特許文献２のクリップは、カーペット等のシート状部材の端末部分をパネルの端部に固定するのに、シート状部材の端末部分の加工を必要としないだけでなく、本体をシート状部材をくわえるように押し込むだけの簡単な操作で済む利点がある。
【発明の概要】
【発明が解決しようとする課題】
【０００５】
上記した従来のクリップには、シート状部材に、そのシート状部材がパネル端部から抜け出す方向に強い力が加わった場合、本体がその方向に引きずられて、係止爪に開き方向に力が加わり、係止爪が開き過ぎて、その係止力が損なわれてしまうおそれがあった。係止爪の係止力が損なわれてしまうと、本体がシート状部材から抜け出して、シート状部材がパネルから離脱してしまうので好ましくない。
【０００６】
特許文献３及び特許文献４には、特許文献１及び特許文献２のクリップとは異なる形状のクリップが記載されている。これらのクリップにおいても、シート状部材をパネル端部に固定できるように本体がばね弾性を有するほぼＵ字形状に形成されている。しかし、かかるクリップにおいても、シート状部材がパネル端部から抜け出す方向に強い力が加わった場合、本体がその方向に引きずられて、本体が抜け外れるおそれがあった。
【０００７】
従って、本発明の目的は、係止爪が開き過ぎるのを防止できる、Ｕ字形状の本体を有する、シート状部材の端末部分を保持できるクリップを提供することにある。
【課題を解決するための手段】
【０００８】
かかる目的を達成するため、本発明に係るクリップは、柔軟なシート状部材の端末部分を、パネルに該パネルの一部の両面を包囲した状態で保持させる、ほぼＵ字形状に形成されたばね弾性を有する本体と、シート状部材がパネルに保持された状態を維持する、本体の端部に形成された係止爪とを有し、本体はシート状部材をくわえるように押し込むとそのばね弾性でシート状部材をパネルに挟持させるように作用し、係止爪は本体がシート状部材から抜け外れるのを阻止するように作用する、クリップであって、係止爪は、本体のＵ字形状の端部において、ヒンジとなる薄肉部を介して、本体のＵ字形状の内側から外側に向けて延び且つ外側部分がＵ字形状を横切る方向である側方に向けて内側部分より大きく開く状態で、旋回可能に連結されており、本体がシート状部材に押し込まれるとき、係止爪は、開いた外側部分がシート状部材の受入れを容易にしており、押し込みの続行において係止爪の内側部分が薄肉部回りに本体の内側面に近づくように旋回してシート状部材の受入れを許容するとともに外側部分はその開きが狭められ、本体の押し込みの終了において係止爪の内側部分がシート状部材に食い込むことができるように係止爪の外側部分の開きが戻されるようになっており；本体の端部には、薄肉部に隣接する位置に、係止爪の外側部分の側方への開き過ぎを防止する過開き防止ブロックが設けてある、ことを特徴とする。
【０００９】
上記のように、係止爪が本体の端部に薄肉部（ヒンジ）を介して旋回可能に連結され、本体の端部には、薄肉部に隣接する位置に、係止爪の外側部分の側方（Ｕ字形状を横切る方向）への開き過ぎを防止する過開き防止ブロックが設けてあるので、係止爪が開き過ぎるのが防止でき、シート状部材がパネル端部から抜け出す方向に強い力が加わった場合でも、本体がその方向に引きずられることがなくなり、シート状部材はパネルに堅く固定されたままに維持される。
【００１０】
上記クリップにおいて、係止爪は、Ｕ字形状の本体の２つの端部のそれぞれに、薄肉部を介して旋回可能に連結されている。また、本体と係止爪と薄肉部と過開き防止ブロックとが、プラスチック材料で、一定幅で一体成形される。係止爪の外側部分の先端面がシート状部材の外面を滑るガイド面として形成されている。更に、１例として、パネルは自動車のダッシュパネルであり、シート状部材は防音用のサイレンサーであり、パネルの端部に保持されるシート状部材の部分が、シート状部材の端末部分である。
【図面の簡単な説明】
【００１１】
【図１】本発明の１実施形態に係るクリップの斜視図である。
【図２】図１のクリップの正面図である。
【図３】図１のクリップを一部破断した、平面図である。
【図４】図１のクリップを用いてシート状部材の端末部分をパネルに取付ける前の操作を示す斜視図である。
【図５】（Ａ）は、図１のクリップを、図４の状態からシート状部材に押し込んで、押し込みの途中にある状態を示す図であり、（Ｂ）は、（Ａ）におけるシート状部材及びパネルを省略した、クリップの係止爪の作用を示す図である。
【図６】（Ａ）は、図４のクリップを更にシート状部材に押し込んで、押し込みの終了状態を示す図であり、（Ｂ）は、（Ａ）におけるシート状部材及びパネルを省略した、クリップの係止爪の作用を示す図である。
【発明を実施するための形態】
【００１２】
以下、図面を参照して、本発明の１実施形態に係るクリップ１について説明する。クリップ１は、サイレンサー等の柔軟なシート状部材を、ダッシュパネル等のパネルに固定するのに用いられ、図示の１実施形態において、全体が、硬質プラスチック材料で一体成形される。クリップ１は、柔軟なシート状部材として、防音又は遮音用のサイレンサーの端末部分を、パネルとしてのダッシュパネルの取付縁部の両面を包囲した状態で、ダッシュパネルに保持させる、ほぼＵ字形状に形成されたばね弾性を有する本体２と、サイレンサーがダッシュパネルに保持された状態を維持する、本体２の端部３Ａ、３Ｂに形成された係止爪５とを有する。本体２は、全体として、一定幅のほぼＵ字形状体に形成されて、湾曲部分にはばね弾性が付与されている。本体２は、Ｕ字形状の内側にサイレンサーをくわえ込んだ場合には、その湾曲部分のばね弾性によって、くわえ込んだサイレンサーをその両面から弾性的に押圧するように作用し、サイレンサーの間にダッシュパネルがある場合には、サイレンサーをダッシュパネルに押圧して挟持する。すなわち、本体２はダッシュパネルを包囲したサイレンサーをくわえるように押し込むとそのばね弾性でサイレンサーをダッシュパネルに挟持させるように作用する。
【００１３】
係止爪５は、本体２のＵ字形状の端部３Ａ、３Ｂにおいて、ヒンジとなる薄肉部６を介して、本体のＵ字形状の内側から外側に向けて延び且つ外側部分７がＵ字形状を横切る方向である側方（図２の紙面において上下方向）において、内側部分９より大きく開く状態で、旋回可能に連結されている。図示の１実施形態においては、係止爪５は、Ｕ字形状の本体の２つの端部３Ａ及び３Ｂのそれぞれに、薄肉部６を介して旋回可能に連結されている。また、各係止爪５の外側部分７の先端面は、サイレンサーの外面を滑るガイド面として形成されており、本体２をサイレンサーへ押し込むとき、その外側部分７はサイレンサーを滑らかに移動し、クリップ１の押し込みを助ける。また、各係止爪５の内側部分９の端部１０は尖っている。これによって、本体２が十分にサイレンサーへ押し込まれた後にそのばね弾性で抜け出る方向に移動しようとするとき、係止爪５の内側部分９の先端１０がサイレンサーの表面に食い込んで、本体２が抜け外れるのを阻止する。各係止爪５は、本体２がサイレンサーに押し込まれるとき、開いた外側部分７がサイレンサーの受入れを容易にしている。係止爪５は、本体２の押し込みの続行において内側部分９が薄肉部６の回りに旋回するので内側部分９は本体２の内側面に近づくので、サイレンサーの受入れを許容する。他方、係止爪５の外側部分７はその開きが狭められるように旋回させられる。しかし、本体２の押し込みの終了において内側部分９の先端１０がサイレンサーに食い込むので、外側部分７の開きが元の開きに戻される。上記のように、各係止爪５は本体２がサイレンサーから抜け外れるのを阻止する作用を行う。
【００１４】
本体２には、係止爪５が設けられた端部３Ａ及び３Ｂのそれぞれに、ヒンジとしての薄肉部６に隣接する位置に、係止爪５の外側部分７の側方（図２の紙面において上下方向）への開き過ぎを防止する過開き防止ブロック１１が設けてある。過開き防止ブロック１１は、図１及び図２に示されるように、薄肉部６の回りに旋回する係止爪５の外側部分７の外面側に形成され、薄肉部６の回りに旋回した係止爪５の外側部分７が、図２の紙面の上下方向において一定の開き角度以上に開くのを制限する。これによって、係止爪５の外側部分７の側方への開き過ぎを防止する。係止爪５の外側部分７の側方への開き過ぎが、過開き防止ブロック１１によって阻止されているので、サイレンサーがダッシュパネルの端部から抜け出す方向に強い力が加わった場合でも、係止爪５の内側部分９の先端１０がサイレンサーに食い込んだままに維持され、本体２がサイレンサー上に留まるので引きずられることがなくなり、これによって、サイレンサーはダッシュパネルに堅く固定されたままに維持される。なお、過開き防止ブロック１１は、係止爪５の外側部分７の側方への開き過ぎを防止する限り、図示の形状に限らず、他の形状であってもよい。
【００１５】
クリップ１は、図示の１実施形態においては、図１〜図３に図示のように、本体２と係止爪５と薄肉部６と過開き防止ブロック１１とが、一定の短い幅の、ほぼ板を湾曲させた形状に一体成形されている。クリップ１は、図示の形状には限らないが、図示の形状の場合、クリップ１の取付け操作が容易であり、サイレンサーの取付け部分の幅が短い場合では、例えば、１つのクリップ１でサイレンサーをダッシュパネルに固定でき、サイレンサーの取付部分の幅が長い場合では、複数のクリップ１を用いて、適当な間隔をあけて固定できる。他の形状としては、クリップ全体の幅（図３の紙面の上下方向の長さ）を、図示の長さより長くしてもよい。
【００１６】
図４〜図６を参照して、クリップ１によって、シート状部材としてのサイレンサー１３の端末部分１４をダッシュパネル１５の取付部１７に固定する操作を説明する。図４において、サイレンサー１３の端末部分１４を、ダッシュパネル１５の取付部１７の両面を包囲した状態にする。この操作は、例えば作業者の手作業で行う。作業者は、サイレンサー１３の端末部分１４をダッシュパネル１５の取付部１７の両面を包囲した状態で、クリップ１を、図４の矢印１８に示すように、サイレンサー端末部分１４をＵ字形状の本体２の内側にくわえるように押し込む。この押し込みによって、図５の（Ａ）に示すように、クリップ１の本体２の端部３Ａ、３Ｂに、薄肉部６の回りに旋回可能に連結された係止爪６が、その外側部分７に受入れたサイレンサー端末部分１４の外面を滑らかに移動し、係止爪６の内側部分９を、本体２の内側に近づける。これによって、内側部分９が、柔軟なサイレンサー端末部分１４を押付けながら受入れる。図５の（Ｂ）に図示のように、本体２の押し込みによって、係止爪５の外側部分７は、矢印１９の方向に旋回させられて、その開きが狭められる。
【００１７】
図６の（Ａ）に図示のように、本体２をサイレンサー端末部分１４に十分に押し込むことによって押し込みが終了する。この押し込みの終了において、本体２は、そのばね弾性によってくわえ込んだサイレンサー端末部分１４をその両面から弾性的に押圧するように作用し、サイレンサー端末部分１４の間にダッシュパネル１５の取付部１７に押圧して、サイレンサー１３の端末部分１４をダッシュパネル１５に押圧して挟持する。また、本体２の押し込みの終了において、本体２は、そのばね弾性によって反力が作用して、本体が押し込みと反対方向に戻る。本体２が少し戻ることによって、係止爪５の内側部分９の先端１０がサイレンサーに食い込む。この食い込みによって、本体２はサイレンサー端末部分１４に係止した状態に留まり、サイレンサー端末部分１４がダッシュパネル１５の取付部１７に固定される。また、係止爪５の内側部分９の先端１０がサイレンサー端末部分１４に食い込む姿勢は、薄肉部６の回りに係止爪５を元の姿勢に戻る姿勢に近くなるので、外側部分７の開きが元の大きな開き角度（又はそれに近い角度）に戻される。
【００１８】
図６の（Ｂ）に図示のように、係止爪５の内側部分９の先端１０がサイレンサー端末部分１４に食い込む姿勢は、矢印２１に図示のように、外側部分７を元の大きな開き角度に戻そうとする。この開き角度が過大になると、係止爪５の内側部分９の先端１０がサイレンサー端末部分１４への食い込む角度が、本体２が抜け外れるのを可能にする角度になってしまう（係止爪５の内側部分９と本体２の内側面との間の角度が鋭角から鈍角になってしまう）。これを阻止するため、過開き防止ブロック１１が、係止爪５の外側部分７の外面側に形成され、薄肉部６の回りに旋回した係止爪５の外側部分７が、図２の紙面の上下方向において一定の開き角度以上に開くのを制限している。これによって、係止爪５の外側部分７の側方への開き過ぎを防止する。係止爪５の外側部分７の側方への開き過ぎが、過開き防止ブロック１１によって阻止されているので、サイレンサー１３がダッシュパネル１５の端部の取付部１７から抜け出す方向に強い力が加わった場合でも、係止爪５の内側部分９の先端１０がサイレンサーに食い込んだままに維持される。従って、本体２がサイレンサー１３の端末部分１４上に留まるので、本体２が引きずられることがなくなり、サイレンサー１３はダッシュパネル１５に堅く固定されたままに維持される。
【符号の説明】
【００１９】
１  クリップ
２  本体
３Ａ、３Ｂ  本体の端部
５  係止爪
６  薄肉部
７  係止爪の外側部分
９  係止爪の内側部分
１０  係止爪の内側部分の先端
１１  過開き防止ブロック
１３  サイレンサー（シート状部材）
１４  サイレンサーの端末部分
１５  ダッシュパネル（パネル）
１７  ダッシュパネルの取付部
【図１】
2010190347.tif 000003
【図２】
2010190347.tif 000004
【図３】
2010190347.tif 000005
【図４】
2010190347.tif 000006
【図５】
2010190347.tif 000007
【図６】
2010190347.tif 000008